(57)【特許請求の範囲】
【請求項１】
引戸本体と、前記引戸本体の側方周囲に設けられている側方戸枠とを有し、
前記引戸本体は、前記引戸本体の側方周囲に配設されている第１磁性手段を有し、
前記側方戸枠は、前記引戸本体の閉鎖状態における前記第１磁性手段に対応する位置に第２磁性手段を有し、
前記引戸本体は、前記引戸本体の閉鎖状態において、前記第１磁性手段と前記第２磁性手段とが引き合う作用によって、前記引戸本体の全部又は一部が前記側方戸枠側へ付勢され、
前記第１磁性手段は永久磁石であり、
前記第２磁性手段は鉄芯を有する電磁石であり、
前記第１磁性手段と前記第２磁性手段との互いの対向面が異極同士になるように前記第２磁性手段へ通電し、前記引戸本体が前記側方戸枠に変位し、前記第２磁性手段に前記第１磁性手段が吸着され、
前記第２磁性手段に前記第１磁性手段が吸着された後、前記第２磁性手段への通電を停止し、前記第２磁性手段に前記第１磁性手段が吸着された状態を維持し、
前記第１磁性手段と前記第２磁性手段との互いの対向面が同極同士になるように前記第２磁性手段へ通電し、前記引戸本体が前記側方戸枠側の反対側に変位し、前記第２磁性手段から前記第１磁性手段が引き離されることを特徴とする引戸。
【発明の詳細な説明】
【技術分野】
【０００１】  本発明は、引戸に関する。
【背景技術】
【０００２】  従来の引戸は、引戸本体と当該引戸本体の周囲に設けられている戸枠との間に隙間があるため十分な密閉性を確保することができなかった。そのため、戸枠の戸当り面や引戸本体の戸枠当り面にパッキン等の密閉部材を装着し、引戸本体と戸枠との間の隙間を当該密閉部材によって封鎖していた。
【発明の開示】
【発明が解決しようとする課題】
【０００３】  しかし、従来の引戸においては、戸枠の戸当たり面における密閉性を確保することができても、引戸の側方の方向においてガタつきがあると引戸全体の気密性を確保することができないという問題点がある。このため遮音性能が求められる扉には引戸を採用することができない。また、外気の侵入を防止するための気密性を必要とする玄関扉等にも引戸を積極的に採用することができなかった。【０００４】  本発明は、十分な遮音性能や外気等の侵入を防止するための高い気密性を有する引戸を提供することを目的とする。
【課題を解決するための手段】
【０００５】  本発明に係る引戸は、引戸本体と、前記引戸本体の側方周囲に設けられている側方戸枠とを有し、前記引戸本体は、前記引戸本体の側方周囲に配設されている第１磁性手段を有し、前記側方戸枠は、前記引戸本体の閉鎖状態における前記第１磁性手段に対応する位置に第２磁性手段を有し、前記引戸本体は、前記引戸本体の閉鎖状態において、前記第１磁性手段と前記第２磁性手段とが引き合う作用によって、前記引戸本体の全部又は一部が前記側方戸枠側へ付勢され、前記第１磁性手段は永久磁石であり、前記第２磁性手段は鉄芯を有する電磁石であり、前記第１磁性手段と前記第２磁性手段との互いの対向面が異極同士になるように前記第２磁性手段へ通電し、前記引戸本体が前記側方戸枠に変位し、前記第２磁性手段に前記第１磁性手段が吸着され、前記第２磁性手段に前記第１磁性手段が吸着された後、前記第２磁性手段への通電を停止し、前記第２磁性手段に前記第１磁性手段が吸着された状態を維持し、前記第１磁性手段と前記第２磁性手段との互いの対向面が同極同士になるように前記第２磁性手段へ通電し、前記引戸本体が前記側方戸枠側の反対側に変位し、前記第２磁性手段から前記第１磁性手段が引き離されることを特徴とする。
【発明の効果】
【０００９】請求項１記載の本発明によれば、第２磁性手段への通電を継続しなくても引戸本体と側方戸枠との間の隙間の閉鎖状態を維持することができる。
【発明を実施するための最良の形態】
【００１３】  以下、図１ないし図４を参照しつつ本発明に係る第１実施形態について詳細に説明する。本実施形態の引戸１は、引戸本体２と、引戸本体２の側方周囲に設けられている側方戸枠３とを有し、引戸本体２は、引戸本体２の側方周囲に配設されている第１磁性手段２１を有し、側方戸枠３は、引戸本体２の閉鎖状態における第１磁性手段２１に対応する位置に第２磁性手段３１を有し、引戸本体２は、引戸本体２の閉鎖状態において、第１磁性手段２１と第２磁性手段３１とが引き合う作用によって、引戸本体２の全部又は一部が側方戸枠３側へ付勢されることを特徴とする。【００１４】  引戸１は、戸口５と控壁６との間をスライドする扉である引戸本体２と、戸口５の周囲に設けた側方戸枠３と、引戸本体２の上方に設けられているレール４とを有している。なお、図１及び図２は引戸１を外部側から見た状態を示しており、図１は引戸１の開放状態を示し、図２は引戸１の閉鎖状態を示している。【００１５】  引戸本体２は、引戸本体２の内部側の側方周囲に４つの第１磁性手段２１と、取手２２とを有している。第１磁性手段２１は磁性体であり、本実施形態においては鉄片である。【００１６】  引戸本体２は、引戸本体２の上方に設けられているレール４にスライド可能に支持されている懸架手段２３によって懸架されている。懸架手段２３は、レール４上を回転しながら移動する滑車２３１と、滑車２３１と引戸本体２との間に設けられている変位手段２３２を有している。変位手段２３２は、図３及び図４に示すように、滑車２３１を軸支している上部部材２３２ａと、引戸本体２の上部に固定されている下部部材２３２ｅと、上部部材２３２ａとピン２３２ｂにより連結され、また、下部部材２３２ｅとピン２３２ｄにより連結されている継手部材２３２ｃにより構成されている。この変位手段２３２は、図４に示すように、引戸本体２が閉鎖状態にある際に、引戸本体２が側方戸枠３側に変位することを可能としている。【００１７】  側方戸枠３は、戸口５の周囲に設けられており、引戸本体２の閉鎖状態における第１磁性手段２１のそれぞれに対応する位置に第２磁性手段３１を有している。この側方戸枠３の外部側に設けられている４つの第２磁性手段３１は磁性体であり、本実施形態においては電磁石である。第２磁性手段３１は、引戸本体２の閉鎖状態においてスイッチ（図示せず）を押すと通電されることによって磁性を帯び、第１磁性手段２１と引き合う作用によって引戸本体２を側方戸枠３側へ引き寄せるように付勢する。また、側方戸枠３の外部側の周囲には、引戸本体２の閉鎖状態における気密性を高めるための帯状の弾性体であるシール手段３２が設けられている。【００１８】  なお、本実施形態において、第１磁性手段２１と第２磁性手段３１はそれぞれ４つずつであるが、その個数は適宜選択することが可能である。また、本実施形態において、側方戸枠３は枠体状であるが、本発明の作用効果を奏するものであれば、このような形状に限定されない。上記のような設計変更事項は、後述する他の実施形態においても同様に適用される。【００１９】  以下、本実施形態の作用効果を説明する。【００２０】  引戸本体２を図１の開放状態から図２の閉鎖状態に移動し��引戸１の近傍に配設されているスイッチ（図示せず）を押すと、第２磁性手段３１である電磁石に通電される。引戸１の閉鎖状態において、第１磁性手段２１である鉄片は、それぞれ、第２磁性手段３１と対向するように位置している。上記の通電により第２磁性手段３１が磁性を帯びると、この磁性によって第１磁性手段２１と第２磁性手段３１とが引き合う作用が生じ、引戸本体２の全部が側方戸枠３側へ引き寄せられるように付勢される（図３及び図４参照）。【００２１】  引戸本体２が側方戸枠３側へ付勢されると、変位手段２３２の継手部材２３２ｃは、ピン２３２ｂ、２３２ｄによって上部部材２３２ａと下部部材２３２ｅとに連結されているため、この継手部材２３２ｃが図４に示すように変位する。従って、引戸本体２の全体の位置が側方戸枠３に対して平行に変位する。【００２２】  そして、引戸本体２は、第１磁性手段２１と第２磁性手段３１とが引き合う作用により、側方戸枠３に張り付くように変位し、この際、シール手段３２により引戸本体２と側方戸枠３との間の隙間が完全に閉鎖される（図４参照）。なお、この引戸１の閉鎖状態を解除する場合には、スイッチを再度操作し、第２磁性手段３１への給電を停止する。【００２３】  本実施形態の第１磁性手段２１は鉄片であるが、鉄片ではなくネオジウム磁石に変更することにより第２磁性手段３１への通電を継続しなくても引戸本体２と側方戸枠３との間の隙間の閉鎖状態を維持することができる。例えば、第１磁性手段２１の第２磁性手段３１との対向する面をＳ極とし、また、通電された際に第２磁性手段３１の第１磁性手段２１との対向する面がＮ極となるように配設する。第２磁性手段３１がスイッチによって通電されると、第１磁性手段２１と第２磁性手段３１との互いの対向面は異極同士となるため、引き合う力が強くなり、引戸本体２を側方戸枠３側に変位し、第２磁性手段３１に第１磁性手段２１が吸着される。そして、第１磁性手段２１はネオジウム磁石であるため、その磁力により第２磁性手段３１の鉄心（図示せず）に吸着する。このように第２磁性手段３１に第１磁性手段２１が吸着された後、第２磁性手段３１の通電を停止しても、この吸着状態は維持される。【００２４】  そして、引戸本体２を開放状態にするために第２磁性手段３１に第１磁性手段２１が吸着された状態を解除する場合には、再度スイッチを操作する。このスイッチ操作は第２磁性手段３１に逆方向の電流を供給するものであり、第２磁性手段３１の第１磁性手段２１との対向する面がＳ極となるように設定されている。従って、第１磁性手段２１と第２磁性手段３１との互いの対向面は同極同士となるため反撥しあい、引戸本体２を側方戸枠３側の反対方向へ変位させる。このため、第２磁性手段３１から第１磁性手段２１が引き離され、上記吸着状態が解除される。【００２５】  次に、図５ないし図７を参照しつつ、本発明に係る第２実施形態について説明する。なお、本実施形態の説明において、上記第１実施形態の引戸１を構成する部材と同一又は類似の機能を有する部材に関しては同一の符号を用いる。【００２６】  上記第１実施形態の引戸１は、第１磁性手段２１と第２磁性手段３１とが引き合う作用によって、引戸本体２の��部又は一部が側方戸枠３側へ引き寄せられるように付勢されることを特徴とするが、本実施形態の引戸１ａは、第１磁性手段２１ａと第２磁性手段３１ａとが反撥する作用によって、引戸本体２の全部又は一部が第２側方戸枠３ｂ側へ押し付けられるように付勢されることを特徴とする。【００２７】  本実施形態の引戸１ａは、引戸本体２の一側方の周囲に設けられている第１側方戸枠３ａと、引戸本体２の他側方の周囲に設けられている第２側方戸枠３ｂ（上記第１実施形態における側方戸枠３と同様の位置に配設されている。）とを有し、引戸本体２は、引戸本体２の側方周囲に配設されている第１磁性手段２１ａを有し、第１側方戸枠３ａは、引戸本体２の閉鎖状態における第１磁性手段２１ａに対応する位置に第２磁性手段３１ａを有している。本実施形態において、第１磁性手段２１ａはネオジム磁石であり、第２磁性手段３１ａは電磁石である。第１磁性手段２１ａは、第２磁性手段３１ａとの対向する面がＮ極となっている。【００２８】  図６及び図７に示すように、引戸本体２を閉鎖状態に移動し、引戸１の近傍に配設されているスイッチ（図示せず）を押すと、第２磁性手段３１ａである電磁石が通電され第１磁性手段２１ａとの対向面側がＮ極に磁化される。第１磁性手段２１ａは第２磁性手段３１ａとの対向面側がＮ極であるため、第２磁性手段３１ａが磁性を帯びることにより、第１磁性手段２１ａと第２磁性手段３１ａとが反撥して引戸本体２の全部が第２側方戸枠３ｂ側へ押し付けられるように付勢される。なお、本実施形態においてもシール手段３２や変位手段２３２の機能及び作用は上記第１実施形態と同様である。また、この引戸１ａの閉鎖状態を解除する場合には、スイッチを再度操作し、第２磁性手段３１への給電を停止する。【００２９】  上記第１実施形態及び第２実施形態において、第２磁性手段３１（第２実施形態においては３１ａ）は電磁石であるが、第１磁性手段２１（第２実施形態においては２１ａ）を電磁石とすることも可能である。この場合、第１実施形態の第２磁性手段３１は鉄片またはネオジウム磁石であり、また、第２実施形態の第２磁性手段３１ａはネオジウム磁石となる。また、これらのネオジウム磁石は永久磁石の一例であり、永久磁石であればその種類は問わない。【００３０】  また、上記第１実施形態及び第２実施形態において、引戸本体２の全部が側方戸枠３側（第２実施形態においては第２側戸枠側３ｂ）へ付勢されるが、引戸本体の一部が側方戸枠側に付勢されても良い。例えば、図８及び図９に示す引戸１ｂは、引戸本体２の右側のみに第１磁性手段２１ｂが設けられており、引戸本体２の閉鎖状態において、第１磁性手段２１ｂと対応する位置に第２磁性手段３１ｂが側方戸枠３ｃに設けられている。この引戸１ｂの場合には、引戸本体２の右側と側方戸枠３ｃとの間の隙間が閉鎖されるだけであるが、このような実施形態でも、引戸本体と側方戸枠との間の隙間は部分的に解消することが可能である。【００３１】  上記各実施形態において、第１磁性手段と第２磁性手段とが吸着することにより、不完全な施錠機能をも発揮することができる。この不完全な施錠機能とは、引戸の閉鎖状態において第１磁性手段と第２磁性手段とが吸着���ているため、施錠装置のように機械的に施錠されていないものの、この引戸本体を開くためには第１磁性手段と第２磁性手段とを引き剥がすための大きな力を必要とするという意味である。例えば、トイレ等の引戸に本発明に係る引戸を採用すると、トイレ内部で使用者が脳卒中等により気を失っている場合、強い力で引戸本体を操作することにより、第１磁性手段と第２磁性手段とが吸着している状態でもこれら両手段の吸着を引き剥がし、引戸本体を開くことができる。一方、平常時では引戸本体を開放するためには大きな力が必要となるため施錠装置と同様の効果を発揮することができる。【００３２】  上記各実施形態において、第１磁性手段や第２磁性手段への電流供給、停止、又は、逆方向の電流供給を行うのは、必ずしもスイッチ操作によって行う必要は無い。引戸本体の位置を検出する位置センサ手段や、引戸の施錠装置と連動させることが可能であり、あるいは、引戸が閉鎖状態になってから所定時間が経過するとタイマー手段によって電流供給が行われる等の制御も可能である。
【図面の簡単な説明】
【００３３】
【図１】本発明の第１実施形態に係る引戸１の開放状態を示す正面図である。
【図２】図１に示す引戸１の閉鎖状態を示す正面図である。
【図３】図１に示す引戸１の側方断面説明図である。
【図４】図１に示す引戸１の側方断面図であり、引戸本体２が側方戸枠３側へ変位した状態が示されている。
【図５】本発明の第１実施形態に係る引戸１ａの開放状態を示す正面図である。
【図６】図５に示す引戸１ａの側方断面説明図である。
【図７】図５に示す引戸１ａの側方断面図であり、引戸本体２が第２側方戸枠３ｂ側へ変位した状態が示されている。
【図８】本発明の他の実施形態に係る引戸１ｂの開放状態を示す正面図である。
【図９】図９に示す引戸１ｂの閉鎖状態を示す正面図である。
【符号の説明】
【００３４】１、１ａ、１ｂ  引戸
２  引戸本体
２１、２１ａ、２１ｂ  第１磁性手段
２２  取手
２３  懸架手段
２３１  滑車
２３２  変位手段
２３２ａ  上部部材
２３２ｂ、２３２ｄ  ピン
２３２ｃ  継手部材
２３２ｅ  下部部材
３、３ｃ  側方戸枠
３ａ  第１側方戸枠
３ｂ  第２側方戸枠
３１、３１ａ、３１ｂ  第２磁性手段
３２  シール手段
４  レール
５  戸口
６  控壁
【図１】
0004518124.tif 000002
【図２】
0004518124.tif 000003
【図３】
0004518124.tif 000004
【図４】
0004518124.tif 000005
【図５】
0004518124.tif 000006
【図６】
0004518124.tif 000007
【図７】
0004518124.tif 000008
【図８】
0004518124.tif 000009
【図９】
0004518124.tif 000010